(57)【要約】【課題】美容及び医療保健機能を具有するオーディオ装置を提供する。【解決手段】  オーディオ通信装置１０、パルス電流発生器７１、及びパルス電流発生器で発生した微弱な電流を人体に流すための導体から構成される美容及び医療保健機能を具有するオーディオ装置の構造であって、該オーディオ装置とパルス電流発生器を結合し、オーディオ機器のイヤフォーンやヘッドフォーンに設置した導体やこれらと別個に設けた人体に接する導体を通じて該パルス電流発生器が出力するパルス電流を人体に流し、ユーザーは該パルス電流によって音楽によると共に微弱な電流による美容及び医療保健の機能に達する。【選択図】  図１
0003163342.tif 000002
【実用新案登録請求の範囲】
【請求項１】
オーディオ装置、パルス電流発生器及び人体に接する導体からなり、
該パルス電流発生器とオーディオ装置を電気的に接続し、該導体を通じて、パルス電流発生器で発生したパルス電流を人体に流すことを特徴とする美容及び医療保健機能を具有するオーディオ装置の構造。
【請求項２】
前記パルス電流発生器は、２００ヘルツより小さいパルス電流を発生することを特徴とする請求項1記載の美容及び医療保健機能を具有するオーディオ装置の構造。
【請求項３】
前記パルス電流発生器は１０ミリアンペアより小さいパルス電流を発生することを特徴とする請求項１記載の美容及び医療保健機能を具有するオーディオ装置の構造。
【請求項４】
前記電流発生器は、生物電流と同様のマイクロ電流を発生することを特徴とする請求項１記載の美容及び医療保健機能を具有するオーディオ装置の構造。
【請求項５】
前記オーディオ装置は、通信装置であることを特徴とする請求項１記載の美容及び医療保健機能を具有するオーディオ装置の構造。
【請求項６】
前記通信装置とは、携帯電話、携帯音楽機器或いはＰＤＡであることを特徴とする請求項５記載の美容及び医療保健機能を具有するオーディオ装置の構造。
【請求項７】
前記オーディオ装置は、パソコン、眼鏡、イヤホーン、テレビ、ラジオ或いはＤＶＤプレイヤーであることを特徴とする請求項１記載の美容及び医療保健機能を具有するオーディオ装置の構造。
【請求項８】
前記パルス電流発生器は、該オーディオ装置に内蔵或いは外付けすることを特徴とする請求項１記載の美容及び医療保健機能を具有するオーディオ装置の構造。
【請求項９】
前記外付けのパルス電流発生器は、ＵＳＢ(Ｕｎｉｖｅｒｓａｌ Ｓｅｒｉａｌ Ｂｕｓ)、ＰＳ/２、Ｓｅｒｉａｌ(ＤＢ−９)、ＡＤＢ(Ａｐｐｌｅ Ｄｅｓｋｔｏｐ Ｂｕｓ)、或いはＡＴ(Ａｄｖａｎｃｅｄ Ｔｅｃｈｎｏｌｏｇｙ)などのポートを該オーディオ装置と接続することを特徴とする請求項８記載の美容及び医療保健機能を具有するオーディオ装置の構造。
【請求項１０】
前記導体を人体に接触する構造を、人体の各部位の形状に対応する形状として該部位に着用するのに最適な形状にしたことを特徴とする請求項１記載の美容及び医療保健機能を具有するオーディオ装置の構造。
【請求項１１】
前記導体を人体に接触する構造を、イヤホーン、ヘッドホーンに適用し、或いはこれらを耳にかけるフックタイプ或いは耳に対する挟持タイプの形態構造にしたことを特徴とする請求項１０記載の美容及び医療保健機能を具有するオーディオ装置の構造。
【請求項１２】
前記導体を人体に接触する構造を、指サック、手袋、帽子、マスク、腕当て、ひじ当て、ひざ当て或いは腰ベルトの形態構造にしたことを特徴とする請求項１０記載の美容及び医療保健機能を具有するオーディオ装置の構造。
【請求項１３】
前記導体を円錐状の形にしたことを特徴とする請求項１記載の美容及び医療保健機能を具有するオーディオ装置の構造。
【請求項１４】
前記オーディオ装置の再生する音楽は、医療保健用ミュージックであることを特徴とする請求項１記載の美容及び医療保健機能を具有するオーディオ装置の構造。
【請求項１５】
パルス電流発生器はチップモジュールであって、発振器モジュール及びブースターコンバーターモジュールを具え、
該発振器モジュールが発生するパルス電流はブースターコンバーターモジュールにより、１０ミリアンペアより小さいパルス電流を発生し、該オーディオ装置の人体との接触部位を通じて該電流を人体に流すことによって該オーディオ装置は美容及び医療保健機能を具えることを特徴とする美容及び医療保健機能を具有するオーディオ装置の構造。
【考案の詳細な説明】
【技術分野】
【０００１】
本考案は、美容、医療及び保健に関連する電気製品の構造に関し、特に、美容、医療及び保健機能を具有するオーディオ、通信装置の構造に関する。
【背景技術】
【０００２】
電子産業製品の構造及び生産技術が絶えず進歩し、それらの製品は深く現代社会の人々の生活に入り込んでいる。特にパソコンやテレビ、携帯、ＰＤＡや携帯音楽機器、オーディオ装置は、現代人の生活に欠かせられない電子製品となっている。日夜を共にし、製品パーツの小型化により、携帯やＰＤＡ、携帯音楽機器などは携帯をしやすく、日常生活において必須の日用品となっている。
【０００３】
これらの製品の機能は、益々多様化しているが、通信と娯楽の範囲内に限られることが多い。近年、携帯電話の通信機能を使って、遠距離医療看護を行う人がいる。アメリカの特許出願US 2008200774、 US
2007255599、US 2007197881などは携帯電話を使って健康状況をチェックし、医療提供者とオンラインで接続することで、即時のサポートを受けられる。特許出願US2005131493は、携帯電話を使って埋め込み式の刺激装置のコントロールを行う。
【０００４】
これらの応用は基本的に携帯電話を使って情報を伝達するのみで、それ自体は人体に直接美容或いは医療、保健の機能を提供しないため、更なる工夫が必要であった。
【先行技術文献】
【特許文献】
【０００５】
【特許文献１】特開２００８−１７９７９号公報
【考案の概要】
【考案が解決しようとする課題】
【０００６】
前記公知構造の不足を解決するために、本考案は直接人体に美容、医療或いは保健機能を提供できるオーディオ装置を提供することを主な課題とする。
【課題を解決するための手段】
【０００７】
上述の目的を解決するために、本考案は美容及び医療保健機能を具有するオーディオ装置の構造を提供するものである。本考案はオーディオ装置とパルス電流を整合することによって、オーディオ装置とパルス電流発生器が電気接続し、該パルス電流発生器に人体と接触する導体を設けて、該パルス電流発生器より出力するパルスマイクロ電流を該導体から人体に流すことによって、美容、医療及び保健の機能を発揮する。
【０００８】
生物体自身にアミノ酸やたんぱく質、脂肪酸、ヌクレオチド、陽子など多くのイオン化合物と、カリウム、ナトリウム、カルシュームなどの多くのイオンを有している。中でもカリウム、ナトリウム、カルシューム、陽子などは、細胞情報の伝達任務を担い、生理機能に対する影響が大きい。神経の伝達や筋肉の収縮や腎糸球体の血液のろ過と水分のコントロールなど、全てこれらのイオンの正常な移動に頼っている。正常細胞の細胞膜の内外に20mV〜200mVの電位差があり、人体細胞はこれらの細胞膜の減極及び再分極などのステップを経て、物質及び情報の伝達を行い、生理機能を行う。生物体のエネルギー工場ともいえるミトコンドリアの内膜内外に２００mＶの電位差があり、水素原子の移動に伴って内外の電圧を変え、電子の移動によって、ＡＴＰシンターゼの活性を促し、ＡＴＰの合成を増やす。
【０００９】
生物体自身が生物電流を有し、この生物電流は細胞の成長と修復及び再生に影響する。怪我或いは老化した組織の生物マイクロ電流が変化するが、適切なマイクロ電流を与えることにより、身体のマイクロ電流が正常に復帰することを促し、健康体になる。よって、本考案はパルス電流発生器が作り出すパルス電流を使って、細胞の生理的変化をさせる。例えば０．５アンペアのパルスマイクロ電流はミトコンドリア陽子の流動を促進し、ＡＴＰシンターゼの活性を増強して、ＡＴＰの生成速度が４倍に上がり、細胞のアミノ酸の吸収率も３０〜４０％増える。また、たんぱく質の合成速度も明らかに増えるため、本考案のパルス電流発生器が発生するパルスマイクロ電流は、効果的に細胞を活性化させ、細胞のエネルギーを強化し、組織の修復能力も増進する。傷口の癒合や骨の再生など明らかな効果を示し、美容やアンチエイジングにも適用される。また、臨床実験ではパルスマイクロ電流は放射線治療及び化学治療の副作用を低減し、特に口腔の乾きを減少し、潰瘍に対する効果が更に明確である。
【００１０】
このほか、パルスマイクロ電流は脳のセロトニンとエンドルフィンなどの生成を促すため、ストレス解消、ウツ解消、安眠、だるさと痛みを和らげる効果もある。また、研究によると、パルスマイクロ電流は脳のアルファー波を強化し、座禅と気功の効果と似ていることが判明し、ウツ状態やストレス、焦り、不眠などの治療に使うことができる。また、パルスマイクロ電流は認知症や言語障害の症状にも効果があることが分かった。本考案のオーディオ通信装置は、忙しく、多くのストレスを抱える現代人にとって、確実な保健と医療の効果がある。本考案は携帯電話、携帯音楽機器、ＰＤＡやその他の携帯型オーディオ通信装置を、該パルス電流発生器と整合して小型化し、更にイヤホーンや眼鏡など身につける日常品に設置することができるため、随時に携帯し、随時に使用できる便利性を持つ。
【００１１】
また、本考案はパソコンやテレビ、ＤＶＤ、ラジオなどのオーディオ装置を該パルス電流発生器と整合することができ、これらの電気製品を使用すると同時に、上述の各美容や医療、保健の効果を得ることができる。
【００１２】
前記オーディオ装置とパルス電流発生器を整合する方法として、パルス電流発生器をオーディオ装置内に設置し、プリント基板を共用、或いは電源を共用することができる。パルス電流発生器をＩＣチップに設置し、オーディオ装置のチップと整合することもできる。該マイクロプロセッサー、液晶ディスプレイ及びコントローラーモジュールなどを統合することもでき、見た目がよく、軽く更に生産コストを下げる目的を達する。
【００１３】
前記の整合方法のほかに、パルス発生器をオーディオ装置に外付けする方法がある。パソコンにあるＵＳＢ(Ｕｎｉｖｅｒｓａｌ Ｓｅｒｉａｌ Ｂｕｓ)、ＰＳ/２、
Ｓｅｒｉａｌ(ＤＢ-９)、ＡＤＢ(Ａｐｐｌｅ Ｄｅｓｋｔｏｐ Ｂｕｓ)、ＡＴ(Ａｄｖａｎｃｅｄ Ｔｅｃｈｎｏｌｏｇｙ )などのポートや、その他のインターフェイスも必要に応じて使用することができる。例えば、パソコンのＵＳＢポートはパルス電流発生器に必要なパワーである５ボルトの電圧及び５００ミリアンペアの電流を提供することができる。ほかのオーディオ装置及び各種の出力部品も同じように整合を行うことができる。
【００１４】
また、本考案のオーディオ装置はパルス電流発生器に合わせて、特殊な音律を具える医療保健音楽を再生することによって、該音波の振動及びメロディを使って、更にパルス電流の機能を強化することができる。
【００１５】
更に、人体と接触する導体は、人体の各部位の形状に対応して異なるデザインにすることによって、携帯しやすく、様々な特殊機能を得ることができる。例えば、該導体をイヤホーン、ヘッドホーン、フックタイプ或いは挟持タイプなど、種々の形態の機器によって耳から該電流を人体に通じる。また、該導体を手に適用する指サックや手袋の形、或いは頭部に使用する場合は帽子型、顔に使用する場合はマスク型、関節であればひざ当て、腕当て、ひじ当て、腰ベルトなどの形状にすることができる。または人体のツボの分布に対応して、耳たぶの目のツボや、指先のツボ十宣、眉間、腹部のツボ気海と関元、腰のツボ命門、ヒザ下の犢鼻などは便利に使用できるツボである。もちろんほかの部位のツボであっても、希望する効果や治したい症状に合わせて選択することができる。
【００１６】
本考案のパルス電流発生器が出力する電流の周波数は低中高周波であるが、低周波が好適であり、中でも２００ヘルツより小さくするのが最適である。該パルス電流発生器の最良出力電流は１０ミリアンペアとし、更に０．１マイクロアンペア〜１ミリアンペアの生物のものと近似するマイクロ電流が最適である。
【考案の効果】
【００１７】
本考案はオーディオ装置及びパルス電流発生器、導体の設置により、導体を通じて該パルス電流発生器が出力するパルス電流を人体に流し、ユーザーは該パルス電流によって美容及び医療保健効果向上の機能に達する。
【図面の簡単な説明】
【００１８】
【図１】本考案の構造例略図である。
【図２】本考案の第一実施例である。導体と人体が接触する一端を挟む形態にする。
【図３】本考案の第二実施例である。該導体と人体が接触一端はイヤホーンとする。
【図４】本考案の第三実施例である。該導体と人体が接触する一端はヘッドホーンとする。
【図５】本考案の第四実施例である。該導体と人体が接触する一端は耳に掛けられるフック状の形態とする。
【図６】本考案の第五実施例である。該オーディオ装置をパソコンとし、該導体と人体が接触する一端は手袋の形状とする。
【図７】本考案の第六実施例である。該オーディオ装置をパソコンとし、該パルス電流発生器はＵＳＢポートに差し込んで外付けの状態とする。
【図８】本考案のパルス発生器のＩＣデザイン略図である。
【図９】本考案のパルス発生器の発振器のモジュール及び直流―直流のブースターコンバーター(DC-DC Boost Converter)の略図である。
【考案を実施するための形態】
【００１９】
図１に示すのは、本考案実施例の構造説明図であり、これによって特許申請の範囲を制限するものではない。
【００２０】
本考案は美容医療及び保健機能を具有するオーディオ装置を提供し、オーディオ装置１０とパルス電流発生器７１が相互に整合する。
【００２１】
該オーディオ装置１０とは携帯電話、携帯音楽機器、ＰＤＡ、パソコン、テレビ、ラジオやＤＶＤ、その他のオーディオ装置を指し、本実施例において、該オーディオ装置１０は携帯電話とする。該オーディオ通信装置に少なくとも含まれるのは通信モジュール１１、インプットモジュール２１、電源モジュール３１、液晶ディスプレイコントロールモジュール４１、メモリー５１及びマイクロプロセッサーモジュール６１であり、それぞれが電気的に接続をしている。また、該通信モジュール１１に音声コード器１２を具えることによって、マイクロプロセッサーモジュール６１にコントロールされ、スピーカー/受話器１３を通じて通信の目的に達する。
【００２２】
パルス電流発生器７１はパルスマイクロ電流を発生し、該パルス電流発生器７１はオーディオ通信装置１０のマイクロプロセッサーモジュール６１及び該電源モジュール３１と互いに電気的に接続をする。該パルス電流発生器７１は該オーディオ通信装置１０と同一のプリント基板を共用できるが、パルス電流発生器をチップにし、その他のチップと整合してサイズをミニ化にすることで、更に重さが軽くなり、製造コストを下げることができる。該パルス電流発生器７１が発生する電流は、導体を通じて人体と接触するほか、導線を延伸して、人体の皮膚と接触する導体と接続することもできる。該導体は導電ゴムや導電シリコン、導電性高分子、導電炭素粉、導電液体銀、銅及び各種の導電金属或いは合金など導電可能の材質で作られる。人体の各部位の形状に基づき、異なる造型に作ることができ、該パルス電流発生器７１が出力するパルスマイクロ電流は、該導線及び導体によって人体に流れる。該パルス電流発生器７１が出力するパルスマイクロ電流の周波数は低中高周波であって、最良のパルスマイクロ電流周波数は２００ヘルツ(Hz)より小さい。該パルス電流発生器７１の最良出力電流は１０ミリアンペアより小さい。また、０．１マイクロアンペアから１ミリアンペアの生物電流と類似するマイクロ電流を使用することもできる。
【００２３】
図２に示すのは、本考案の第一実施例である。該オーディオ装置に音声を伝える出力ユニット８０及び、パルスマイクロ電流を流す導線７２と導体７３を具有し、該導体７３と接触する人体の皮膚の一端を挟むタイプの挟持部７３１を形成し、該導体７３は該挟持部７３１を通じて人体の皮膚を挟持する。該導体７３は円錐状とし、本実施例では、該導体７３は人体の耳たぶに挟持して、パルスマイクロ電流を人体に流す。該音声出力ユニット８０はイヤホーンとする。
【００２４】
図３に示すのは、本考案における医療及び保健機能を提供するオーディオ装置の第二実施例である。該導体７３を直接イヤホーン８１の音声出力部８２のケースの表縁に設置する。該イヤホーン８１を耳に挿入して使用する際、該音声出力部８２のケースの表縁にある導体７３が、人体の耳孔の周りの皮膚と接触し、パルスマイクロ電流を人体に流す。図４に示すのは、本考案の第三実施例である。該導体７３をヘッドホーン８３の音声出力部８４の耳に接する内縁に設置する。該ヘッドホーン８３を使用する際、該音声出力部８４の内縁にある導体７３が人体の耳と接触し、パルスマイクロ電流を人体に流す。
【００２５】
図５に示すのは、本考案の第四実施例である。イヤホーン８５の上に彎曲状のフック７３２を形成し、導体を設置する。該フック７３２を人体の耳に掛けて使用する際に、該導体７３は耳の皮膚と接触してパルスマイクロ電流を人体に流す。
【００２６】
特に説明したいのは、本考案の上記導体は人体の各部位の形状に対応して成形することである。よって、該導体を人体の手と対応する指サックや手袋の形、或いは人体の頭部と対応する帽子型や、顔と対応してマスクの型、関節であればひざ当て、腕当て、ひじ当て、腰ベルトなどの形状にすることができ、これらは全て本考案の適用範囲とする。
【００２７】
図６に示すのは、本考案の第五実施例である。該オーディオ装置はパソコン９０であり、該パルス電流発生器７１を該パソコン９０の内部に設置し、該パソコン９０に音声を伝えるイヤホーン９１及び、該パルス電流発生器７１が発生するパルスマイクロ電流を流す導線７２及び導体７３を設置する。該導体７３と人体の皮膚が接触する部分は、人体の手と対応する手袋の形状とする。ユーザーが該導体７３で作られた手袋を嵌めると、そこから該パルスマイクロ電流が人体に流れる。ユーザーは同時に該イヤホーン９１を使って音楽を聴くことができ、該音楽は特殊の音律を具有する医療保健ミュージックである。
【００２８】
図７に示すのは、本考案の第六実施例である。該オーディオ通信装置はパソコン９０であり、該パルス電流発生器７１を該パソコン９０のＵＳＢポート９２に差し込み、該パルス電流発生器７１のパルスマイクロ電流を流す導線７２及び導体７３を具有する。ユーザーが該導体７３で作られた手袋を嵌めると、該パルスマイクロ電流が該手袋形状の導体７３を通じて人体に流れる。
【００２９】
該パルス電流発生器はＩＣチップに入れられるほどマイクロ化することができる。図８に示すのは、本考案のパルス発生器のＩＣ構造の略図である。図９に示すのは、本考案のパルス発生器の発振器(OSCILLATOR)モジュール１０１及び直流―直流ブースターコンバーター(DC-DC Boost Converter)モジュール１０２の略図である。これらのモジュールに含まれるのは、出力(ＯＵＴ)、接地(ＧＮＤ)、放電開始電圧(ＤＩＶ)、電源電圧(Ｖ+)、保護(GRD)、電気抵抗設定(ＳＥＴ)、アース(ＰＧＮＤ)、フィードバック(ＦＢ)、インダクタンス接点(ＬＸ)、電源電圧(ＶＣＣ)、スイッチ(ＳＨＤＮ)、出力電圧(ＶＯＵＴ)などの部品或いは機能を含む。中でも発振器モジュールが発生するパルス電流がブースターコンバーターモジュールを流れると、１０ミリアンペアより小さいパルス電流を発生することができ、オーディオ装置を使って、該電流を人体に流すため、該オーディオ装置に美容及び医療保健の機能を具有する。中でも直流ブースターコンバーターが必要か否かは、電源供給器電圧及び必要とする出力電流の量によって定める。
【符号の説明】
【００３０】
１０  オーディオ通信装置
１１  通信モジュール
１２  音声コード器
１３  スピーカー/受話器
２１  インプットモジュール
３１  電源モジュール
４１  液晶ディスプレイコントロールモジュール
５１  メモリー
６１  マイクロプロセッサーモジュール
７１  パルス電流発生器
７２  導線
７３  導体
７３１  挟持部
７３２  フック部
８０  出力ユニット
８１、８５、９１  イヤホーン
８２、８４  音声出力部
８３  ヘッドホーン
９０  パソコン
９２  ＵＳＢポート
１０１  発振器モジュール
１０２  直流―直流ブースターコンバーターモジュール
【図１】
0003163342.tif 000003
【図２】
0003163342.tif 000004
【図３】
0003163342.tif 000005
【図４】
0003163342.tif 000006
【図５】
0003163342.tif 000007
【図６】
0003163342.tif 000008
【図７】
0003163342.tif 000009
【図８】
0003163342.tif 000010
【図９】
0003163342.tif 000011